【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）の装置であって、
メモリと処理回路とを有し、
前記処理回路は、
物理アップリンク共有チャネル（ＰＵＳＣＨ）を用いた非周期的なチャネル状態情報（ＣＳＩ）の報告を前記ＵＥに設定するためのダウンリンク制御情報（ＤＣＩ）を復号化し、
マスタｅＮＢ（ＭｅＮＢ）に関するマスタセルグループ（ＭＣＧ）からの無線リソース制御（ＲＲＣ）シグナリングを復号化し、前記ＲＲＣシグナリングはデュアルコネクティビティのセカンダリセルグループ（ＳＣＧ）を前記ＵＥに設定するためのコンフィギュレーション情報を提供し、前記ＵＥが前記ＭＣＧとセカンダリｅＮＢ（ＳｅＮＢ）に関する前記ＳＣＧとの双方の無線リソースを利用することを可能にし、
前記ＭＣＧ及び前記ＳＣＧに対する複数の非周期的ＣＳＩレポートリクエストが１つより多くのＣＳＩレポートをトリガするか判断するためサブフレームを復号化し、
５つ以下のＣＳＩレポートがトリガされるとき、前記トリガされたＣＳＩレポートのそれぞれに対応するＣＳＩプロセスのＣＳＩを更新し、
５つより多くのＣＳＩレポートがトリガされるとき、前記トリガされたＣＳＩレポートの少なくとも５つのＣＳＩプロセスのＣＳＩを更新し、前記ＵＥは複数のセルグループが設定されているとき前記ＣＳＩプロセスの５つより多くのＣＳＩを更新することは必要とされず、
前記ＣＳＩプロセスの更新されたＣＳＩの前記ＰＵＳＣＨ上の送信のためＣＳＩ報告を実行し、
前記メモリは前記ＤＣＩを記憶するよう構成される装置。
【請求項２】
前記サブフレームは、２ビットを有するＣＳＩリクエストフィールドに関する値を含み、
前記値は、第１の所定値、第２の所定値、第３の所定値及び第４の所定値の１つである、請求項１記載の装置。
【請求項３】
前記第１の所定値は“００”であり、
前記第２の所定値は“０１”であり、
前記第３の所定値は“１０”であり、
前記第４の所定値は“１１”である、請求項２記載の装置。
【請求項４】
前記処理回路は更に、
前記複数の非周期的ＣＳＩリクエストにおける前記ＭＣＧからの第１の非周期的ＣＳＩリクエストに対応する第１のＣＳＩ報告を実行し、
前記複数の非周期的ＣＳＩリクエストにおける前記ＳＣＧからの第２の非周期的ＣＳＩリクエストに対応する第２のＣＳＩ報告を実行するよう構成される、請求項１記載の装置。
【請求項５】
前記処理回路は更に、
前記ＰＵＳＣＨ上での前記ＭＣＧへの送信のための第１のＣＳＩ報告に対応する第１のＣＳＩレポートを符号化し、
前記ＰＵＳＣＨ上での前記ＳＣＧへの送信のための第２のＣＳＩ報告に対応する第２のＣＳＩ報告を符号化するよう構成される、請求項４記載の装置。
【請求項６】
ユーザ装置（ＵＥ）の１つ以上のプロセッサに、
物理アップリンク共有チャネル（ＰＵＳＣＨ）を用いた非周期的なチャネル状態情報（ＣＳＩ）の報告を前記ＵＥに設定するためのダウンリンク制御情報（ＤＣＩ）を復号化し、
マスタｅＮＢ（ＭｅＮＢ）に関するマスタセルグループ（ＭＣＧ）からの無線リソース制御（ＲＲＣ）シグナリングを復号化し、前記ＲＲＣシグナリングはデュアルコネクティビティのセカンダリセルグループ（ＳＣＧ）を前記ＵＥに設定するためのコンフィギュレーション情報を提供し、前記ＵＥが前記ＭＣＧとセカンダリｅＮＢ（ＳｅＮＢ）に関する前記ＳＣＧとの双方の無線リソースを利用することを可能にし、
前記ＭＣＧ及び前記ＳＣＧに対する複数の非周期的ＣＳＩレポートリクエストが１つより多くのＣＳＩレポートをトリガするか判断するためサブフレームを復号化し、
５つ以下のＣＳＩレポートがトリガされるとき、前記トリガされたＣＳＩレポートのそれぞれに対応するＣＳＩプロセスのＣＳＩを更新し、
５つより多くのＣＳＩレポートがトリガされるとき、前記トリガされたＣＳＩレポートの少なくとも５つのＣＳＩプロセスのＣＳＩを更新し、前記ＵＥは複数のセルグループが設定されているとき前記ＣＳＩプロセスの５つより多くのＣＳＩを更新することは必要とされず、
前記ＣＳＩプロセスの更新されたＣＳＩの前記ＰＵＳＣＨ上の送信のためＣＳＩ報告を実行する、
処理を実行させる命令。
【請求項７】
前記サブフレームは、２ビットを有するＣＳＩリクエストフィールドに関する値を含み、
前記値は、第１の所定値、第２の所定値、第３の所定値及び第４の所定値の１つである、請求項６記載の命令。
【請求項８】
前記サブフレームは、２ビットを有するＣＳＩリクエストフィールドに関する値を含み、
前記値は“００”、“０１”、“１０”及び“１１”の１つである、請求項６記載の命令。
【請求項９】
前記命令は更に、
前記複数の非周期的ＣＳＩリクエストにおける前記ＭＣＧからの第１の非周期的ＣＳＩリクエストに対応する第１のＣＳＩ報告を実行し、
前記複数の非周期的ＣＳＩリクエストにおける前記ＳＣＧからの第２の非周期的ＣＳＩリクエストに対応する第２のＣＳＩ報告を実行する、
処理を前記１つ以上のプロセッサに実行させる、請求項６記載の命令。
【請求項１０】
前記命令は更に、
前記ＰＵＳＣＨ上での前記ＭＣＧへの送信のための第１のＣＳＩ報告に対応する第１のＣＳＩレポートを符号化し、
前記ＰＵＳＣＨ上での前記ＳＣＧへの送信のための第２のＣＳＩ報告に対応する第２のＣＳＩ報告を符号化する、
処理を前記１つ以上のプロセッサに実行させる、請求項９記載の命令。
【請求項１１】
デュアルコネクティビティが設定可能なユーザ装置（ＵＥ）の装置であって、
メモリと処理回路とを有し、
前記処理回路は、
物理アップリンク共有チャネル（ＰＵＳＣＨ）を用いた非周期的なチャネル状態情報（ＣＳＩ）の報告を前記ＵＥに設定するためのダウンリンク制御情報（ＤＣＩ）を復号化し、
マスタｅＮＢ（ＭｅＮＢ）に関するマスタセルグループ（ＭＣＧ）からの無線リソース制御（ＲＲＣ）シグナリングを復号化し、前記ＲＲＣシグナリングはデュアルコネクティビティのセカンダリセルグループ（ＳＣＧ）を前記ＵＥに設定するためのコンフィギュレーション情報を提供し、前記ＵＥが前記ＭＣＧとセカンダリｅＮＢ（ＳｅＮＢ）に関する前記ＳＣＧとの双方の無線リソースを利用することを可能にし、
前記ＭＣＧ及び前記ＳＣＧに対する複数の非周期的ＣＳＩレポートリクエストが１つより多くのＣＳＩレポートをトリガするか判断するためＣＳＩリクエストフィールドに関する値を含むサブフレームを復号化し、前記メモリは前記サブフレームを記憶するよう構成され、
５つ以下のＣＳＩレポートがトリガされるとき、前記トリガされたＣＳＩレポートのそれぞれに対応するＣＳＩプロセスのＣＳＩを更新し、
５つより多くのＣＳＩレポートがトリガされるとき、前記トリガされたＣＳＩレポートの少なくとも５つのＣＳＩプロセスのＣＳＩを更新し、前記ＵＥは複数のセルグループが設定されているとき前記ＣＳＩプロセスの５つより多くのＣＳＩを更新することは必要とされず、
前記ＣＳＩプロセスの更新されたＣＳＩの前記ＰＵＳＣＨ上の送信のためＣＳＩ報告を実行する装置。
【請求項１２】
前記ＣＳＩリクエストフィールドは、２ビットを有し、
前記値は、第１の所定値、第２の所定値、第３の所定値及び第４の所定値の１つである、請求項１１記載の装置。
【請求項１３】
前記第１の所定値は“００”であり、
前記第２の所定値は“０１”であり、
前記第３の所定値は“１０”であり、
前記第４の所定値は“１１”である、請求項１２記載の装置。
【請求項１４】
前記処理回路は更に、
前記複数の非周期的ＣＳＩリクエストにおける前記ＭＣＧからの第１の非周期的ＣＳＩリクエストに対応する第１のＣＳＩ報告を実行し、
前記複数の非周期的ＣＳＩリクエストにおける前記ＳＣＧからの第２の非周期的ＣＳＩリクエストに対応する第２のＣＳＩ報告を実行するよう構成される、請求項１１記載の装置。
【請求項１５】
前記処理回路は更に、
前記ＰＵＳＣＨ上での前記ＭＣＧへの送信のための第１のＣＳＩ報告に対応する第１のＣＳＩレポートを符号化し、
前記ＰＵＳＣＨ上での前記ＳＣＧへの送信のための第２のＣＳＩ報告に対応する第２のＣＳＩ報告を符号化するよう構成される、請求項１４記載の装置。
【請求項１６】
前記ＵＥは、
前記ＰＵＳＣＨ上で前記第１のＣＳＩレポートを前記ＭＣＧに送信し、
前記ＰＵＳＣＨ上で前記第２のＣＳＩレポートを前記ＳＣＧに送信するよう構成される、請求項１５記載の装置。
【請求項１７】
請求項６乃至１０何れか一項記載の命令を記憶するコンピュータ可読記憶媒体。